(57)【要約】      （修正有）【課題】下段ベッドの利用者が上段ベッドの側部の角に頭部等をぶつけにくく、また、ベッドメイキングの作業性を向上させるようにした間仕切り二段ベッドを提供する。【解決手段】幅に対して長さが長い矩形で略同幅の下段ベッド１０と上段ベッド２０とを、それぞれの長さ方向を同方向に向けて部屋Ｒの中央に設置することで部屋Ｒを第１スペースＲ１と第２スペースＲ２とに区分する間仕切り二段ベッド１において、第１スペース用の下段ベッド１０に対し、第２スペース用の上段ベッド２０を第２スペース側に相対的にずらして配置し、下段ベッド１０における第２スペース側の側部に、下段ベッド１０の全長にわたって床面Ｆから上段ベッド２０の底部２２に至る下段間仕切り１１を設け、上段ベッド２０における第１スペース側の側部に、上段ベッド２０の全長にわたって底部２２から天井Ｃに至る上段間仕切り２１を設けた。【選択図】図１
0003198142.tif 000002
【実用新案登録請求の範囲】
【請求項１】
幅に対して長さが長い矩形で略同幅の下段ベッドと上段ベッドとを、それぞれの長さ方向を同方向に向けて部屋の中央に設置することで前記部屋を第１スペースと第２スペースとに区分する間仕切り二段ベッドにおいて、
前記第１スペース用の前記下段ベッドに対し、前記第２スペース用の前記上段ベッドを第２スペース側に向けてベッドの幅方向に相対的にずらして配置し、
前記下段ベッドにおける前記第２スペース側の側部に、前記下段ベッドの全長にわたって床面から前記上段ベッドの底部に至る下段間仕切りを設け、
前記上段ベッドにおける前記第１スペース側の側部に、前記上段ベッドの全長にわたって前記底部から天井に至る上段間仕切りを設けた、
ことを特徴とする間仕切り二段ベッド。
【請求項２】
前記底部における前記下段間仕切りから前記第２スペース側に突出する突出部分の下方の空間に第１収納部を設けた、
ことを特徴とする請求項１に記載の二段ベッド。
【請求項３】
前記下段ベッド及び前記上段ベッドの一方側を覆う一方側壁部と、他方側を覆う他方側壁部とのうちの少なくとも一方を設けた、
ことを特徴とする請求項１又は２に記載の間仕切り二段ベッド。
【請求項４】
前記下段ベッドに対し、前記上段ベッドを長さ方向に相対的にずらして配置した、
ことを特徴とする請求項１ないし３のいずれか１項に記載の間仕切り二段ベッド。
【請求項５】
前記底部における前記下段ベッドから長手方向に突出する突出部分の下方の空間に第２収納部を設けた、
ことを特徴とする請求項４に記載の間仕切り二段ベッド。
【請求項６】
前記底部を長手方向に延長する位置で、かつ前記下段ベッドのうちの前記底部よりも長手方向に突出する部分を上方から覆う位置に延長板を配設し、前記延長板の上方に第３収納部を設けた、
ことを特徴とする請求項４又は５に記載の間仕切り二段ベッド。
【請求項７】
前記下段ベッドと、前記上段ベッドと、前記下段間仕切りと、前記上段間仕切りとが、ユニット化されている、
ことを特徴とする請求項１ないし６のいずれか１項に記載の間仕切り二段ベッド。
【考案の詳細な説明】
【技術分野】
【０００１】
本考案は、１つの部屋を２つに分ける間仕切りを兼ねた二段ベッドに関する。
【背景技術】
【０００２】
従来、１つの部屋を、二段ベッドによって２つに仕切る技術が知られている（例えば、特許文献１参照）。
【０００３】
部屋の中央に二段ベッドを置き、天上から上段の寝具載置台の間、上段の寝具載置台から下段の寝具載置台の間で、各々異なる側部に着脱可能に遮蔽体を取り付けて間仕切りとしている。
【０００４】
これにより、１つの部屋を２つに分けて、空間を有効利用するとともに、例えば、子供にあっては、自立心をスムースに育成できるとしている。
【先行技術文献】
【特許文献】
【０００５】
【特許文献１】特開２００７−６３７６９号公報
【考案の概要】
【考案が解決しようとする課題】
【０００６】
しかしながら、上述の二段ベッドは、下段ベッドの真上に上段ベッドを重ねるように配置していて、下段ベッドの手前側の側部の真上に、上段ベッドの側部が位置するため、
下段ベッドの利用者が、上段ベッドの側部の角に頭部かをぶつけたり、また、ベッドメイキングの妨げとなったりするという問題があった。また、二段ベッドに収納スペースを設けることもできなかった。
【０００７】
本考案は、上述した事情に鑑みてなされたものであり、下段ベッドの利用者が上段ベッドの側部の角に頭部等をぶつけにくく、また、ベッドメイキングの作業性を向上させ、さらに、収納スペースを容易に設けることができるようにした間仕切り二段ベッドを提供することを目的とする。
【課題を解決するための手段】
【０００８】
請求項１に係る考案は、幅に対して長さが長い矩形で略同幅の下段ベッドと上段ベッドとを、それぞれの長さ方向を同方向に向けて部屋の中央に設置することで前記部屋を第１スペースと第２スペースとに区分する間仕切り二段ベッドにおいて、前記第１スペース用の前記下段ベッドに対し、前記第２スペース用の前記上段ベッドを第２スペース側に向けてベッドの幅方向に相対的にずらして配置し、前記下段ベッドにおける前記第２スペース側の側部に、前記下段ベッドの全長にわたって床面から前記上段ベッドの底部に至る下段間仕切りを設け、前記上段ベッドにおける前記第１スペース側の側部に、前記上段ベッドの全長にわたって前記底部から天井に至る上段間仕切りを設けた、ことを特徴とする。
【０００９】
請求項２に係る考案は、請求項１に係る二段ベッドにおいて、前記底部における前記下段間仕切りから前記第２スペース側に突出する突出部分の下方の空間に第１収納部を設けた、ことを特徴とする。
【００１０】
請求項３に係る考案は、請求項１又は２に係る間仕切り二段ベッドにおいて、前記下段ベッド及び前記上段ベッドの一方側を覆う一方側壁部と、他方側を覆う他方側壁部とのうちの少なくとも一方を設けた、ことを特徴とする。
【００１１】
請求項４に係る考案は、請求項１ないし３のいずれか１項に係る間仕切り二段ベッドにおいて、前記下段ベッドに対し、前記上段ベッドを長さ方向に相対的にずらして配置した、ことを特徴とする。
【００１２】
請求項５に係る考案は、請求項４に係る間仕切り二段ベッドにおいて、前記底部における前記下段ベッドから長手方向に突出する突出部分の下方の空間に第２収納部を設けた、ことを特徴とする。
【００１３】
請求項６に係る考案は、請求項４又は５に係る間仕切り二段ベッドにおいて、前記底部を長手方向に延長する位置で、かつ前記下段ベッドのうちの前記底部よりも長手方向に突出する部分を上方から覆う位置に延長板を配設し、前記延長板の上方に第３収納部を設けた、ことを特徴とする。
【００１４】
請求項７に係る考案は、請求項１ないし６のいずれか１項に係る間仕切り二段ベッドにおいて、前記下段ベッドと、前記上段ベッドと、前記下段間仕切りと、前記上段間仕切りとがユニット化されている、ことを特徴とする。
【考案の効果】
【００１５】
請求項１の考案によれば、間仕切り二段ベッドは、部屋の中央に設置することにより、下段ベッド、上段ベッド、下段間仕切りと上段間仕切りとによって、部屋を第１スペースと第２スペースとに区分することができる。さらに、下段ベッドに対して上段ベッドが第２スペース側に向けてベッドの幅方向にずらして配置されているので、その分、上段間仕切りの下端が第２スペース側に位置することになり、下段ベッドの利用者が、上段間仕切りの下端に頭部等をぶつけにくく、また、上段間仕切りの下端が、下段ベッドのベッドメイキング等の邪魔になりにくい。さらに、下段間仕切りよりも第二スペース側で、かつ上段間仕切りの下方に、第２スペース側の利用者が使用することが可能なスペース（請求項２における第１収納部）が形成される。
【００１６】
請求項２の考案によれば、第２スペースの利用者は、第１収納部を利用することができる。
【００１７】
請求項３の考案によれば、例えば、一方側と他方側のうちの一方側を部屋の壁面に付けて配置した場合には他方側に、また、他方側を部屋の壁面に付けて配置したばあには一方側に、さらに、一方側及び他方側のいずれも壁面に付けて配置しない場合には一方側と他方側の双方に壁部を設けることにより、下段ベッド及び上段ベッドの独立性を高めることができる。
【００１８】
請求項４の考案によれば、全体として、長さ方向の長さが長くなるので、間仕切りとしての実質的な長さを長くすることができる。
【００１９】
請求項５の考案によれば、第２収納部を確保することができ、この第２収納部は、下段ベッドの利用者と上段ベッドの利用者とのいずれもが利用可能である。
【００２０】
請求項６の考案によれば、第３収納部を確保することができ、この第３収納部は、下段ベッドの利用者と上段ベッドの利用者とのいずれもが利用可能である。
【００２１】
請求項７の考案によれば、下段ベッド、上段ベッド、下段間仕切り、上段間仕切りがユニットとして構成されているので、既存の部屋に後から簡単に施工することができ、また、短時間での施工が可能である。
【図面の簡単な説明】
【００２２】
【図１】図１〜図５は、実施形態１の間仕切り二段ベッド１を説明する図であり、図１は、間仕切り二段ベッド１における、下段ベッド１０及び上段ベッド２０の長さ方向に直交する方向の縦断面である。
【００２３】
【図２】図１中のＸ−Ｘ線矢視図である。
【００２４】
【図３】間仕切り二段ベッドを、第１スペース側から見た二点透視図である。
【００２５】
【図４】図１中のＹ−Ｙ線矢視図である。
【００２６】
【図５】間仕切り二段ベッドを、第２スペース側から見た二点透視図である。
【００２７】
【図６】実施形態２の間仕切り二段ベッド２を、上段ベッド２０側から見た模式図である。
【図７】図６中のＺ−Ｚ線矢視図である。
【考案を実施するための形態】
【００２８】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００２９】
＜実施形態１＞
図１〜図５を参照して、本考案を適用した実施形態１に係る間仕切り二段ベッド１について説明する。
【００３０】
図１は、間仕切り二段ベッド１における、下段ベッド１０及び上段ベッド２０の長さ方向に直交する方向の縦断面である。
【００３１】
図２は、図１中のＸ−Ｘ線矢視図である。ただし、下段ベッド１０は、その外周を一点鎖線で図示している。
【００３２】
図１に示すように、間仕切り二段ベッド１は、部屋Ｒの中央に、床面Ｆから天井Ｃまで至るように配設されて、部屋Ｒを第１スペースＲ１と第２スペースＲ２とに区画している。
【００３３】
図２に示すように、第１スペースＲ１には、窓Ｗ１，Ｗ２と、収納Ｓ１があり、第２スペースＲ２には、窓Ｗ３，Ｗ４と、収納Ｓ２が設けられている。２つの収納Ｓ１，Ｓ２の間に、出入り口Ｅが設けられている。例えば、利用者は、入室の際には、出入り口Ｅの扉を開けて入室し、間仕切り二段ベッド１に向かって左側に進むことで、第１スペースＲ１に入ることができ、一方、右側に進むことで、第２スペースＲ２に入ることができる。
【００３４】
なお、以下の説明では、下段ベッド１０及び上段ベッド２０について、「頭部側（一方側）」とは、利用者が就寝する際に頭部を向ける側であり、図２中の出入り口Ｅから遠い側であり、「足元側（他方側）」とは利用者が就寝する際に足を向ける側であり、図２中の出入り口Ｅに近い側であるものとして説明する。また、下段ベッド１０及び上段ベッド２０について、「手前側」とは、利用者がこれらのベッドに正対した状態で、近い側であり、「奥側」とは、遠い側であるものとして説明する。したがって、下段ベッド１０では、奥側が第２スペースＲ２側となり、上段ベッド２０では、奥側が第１スペース側Ｒ１となる。
【００３５】
間仕切り二段ベッド１は、下段ベッド１０と、上段ベッド２０と、下段間仕切り１１と、上段間仕切り２１とを備えて構成されている。
【００３６】
図３は、間仕切り二段ベッド１を、第１スペースＲ１側から見た二点透視図である。
【００３７】
図４は、図１中のＹ−Ｙ線矢視図である。
【００３８】
図１〜図４に示すように、下段ベッド１０は、図示例では、全体として、直方体のボックス状に構成されている。下段ベッド１０の長さ方向の中央に立って、下段ベッド１０に向かって左側を頭部側（一方側）右側を足元側（他方側）とすると、下段ベッド１０は、天板として、頭部側と足元側とに分割された２枚に寝具載置板１２を有している。このうち、頭部側の寝具載置板１２は、取り外し可能となっている。下段ベッド１０の頭部側は、収納部となっていて、頭部側の寝具載置板１２を取り外すことにより、収納部へのものの出し入れが可能となっている。一方、足元側の寝具載置板１２は、作り付けになっていて、下方には、手前側に引き出して使用する２個の引き出し１３が設けてある。下段ベッド１０は、一例として、幅１ｍ、長さ２ｍ、高さ３０ｃｍの直方体状に形成されている。例えば、寝具載置板１２の高さを、上述の３０ｃｍに限らず、適宜に設定することにより、寝具載置板１２の下方の収納部及び引き出し１３の容量を適宜に増減させることができる。
【００３９】
下段ベッド１０の頭部側には、頭部側壁部（一方側壁部）３１が設けられ、足元側には、足元側壁部（他方側壁部）３２が設けられている。下段ベッド１０は、これら頭部側壁部３１及び足元側壁部３２に対して、手前側（第１スペースＲ１側）に、例えば、２６ｃｍだけ飛び出したように配置されている。なお、頭部側壁部３１、足元側壁部３２については、後述する。
【００４０】
上段ベッド２０は、寝具載置板２２と、上段ベッド２０に向かって手前側の側板２３と、奥側（第１スペースＲ１側）の側部に配設した側板２４とを備えて構成されており、上述の下段ベッド１０に対して、長さ方向については同じ位置で、幅方向については、第２スペースＲ２側に相対的にずらして配置されている。例えば、寝具載置板２２が、下段ベッド１０の奥側の側部に対して、３０ｃｍ程度、第２スペースＲ２側に突出するように配置されている。
【００４１】
なお、上段ベッド２０は、上述の下段ベッド１０が直方体のボックス状に構成されているのとは異なり、側板２３，２４を除くと、板状の寝具載置板２２で構成されていることになり、この寝具載置板２２が、そのまま「底部」に相当することになる。
【００４２】
手前側の側板２３は、例えば、４００ｃｍ程度の高さを有していて、寝具載置板２２のほぼ全長にわたって設けられている。側板２３の足元側には、「コ字形」の切欠部２５が形成されていて、ここに、昇降用の梯子Ｈ（図２参照）の上端を引っかけるようになっている。
【００４３】
奥側の側板２３は、上段ベッド２０のほぼ全長にわたって、寝具載置板（底部）２２から天井Ｃまで至るように設けられている。この側板２３は、部屋Ｒの上方を第１スペースＲ１側と第２スペースＲ２側とに区画するものであり、上段間仕切り２１を兼用している。このように奥側の側板２４と上段間仕切り２１とを兼用することにより、構成の簡略化を図っている。
【００４４】
下段間仕切り１１は、下段ベッド１０の奥側（第２スペースＲ２側）の側部に、下段ベッド１０のほぼ全長にわたって床面Ｆから上段ベッド２０の寝具載置板（底部）２２に至るように設けられている。下段間仕切り１１は、部屋Ｒの下方を第１スペースＲ１側と第２スペースＲ２側とに区画するものである。
【００４５】
上述の上段ベッド２０は、下段ベッド１０に対して、幅方向に、第２スペースＲ２側にずれて配置されているため、上段ベッド２０の寝具載置板２２は、上述の下段間仕切り１１の上端から、第２スペースＲ２側に突出することになる。これを突出部分２２ａとすると、この突出部分２２ａの下方の空間には、第１収納部Ｋ１が構成されている。なお、第１収納部Ｋ１については後述する。
【００４６】
下段ベッド１０、上段ベッド２０の頭部側には、頭部側壁部（一方側壁部）３１が設けられ、足元側には、足元側壁部（他方側壁部）３２が設けられている。これらは比較的厚さの厚い板材で構成されている。この厚さを利用して、後述の物置３３，３８の設置が可能となる。
【００４７】
頭部側壁部３１は、図１，図３，図５に示すように、上段ベッド２０の幅とほぼ同じ幅で、かつ上段ベッド２０の幅方向の位置に合わせて配置されていて、高さについては、床面Ｆから上段ベッド２０の手前側の側板２３のほぼ上端まで至るように形成されている。頭部側壁部３１は、下段ベッド１０と上段ベッド２０の間で、かつ内側に、矩形状の凹部からなる物置３３が形成されていて、この物置３３には、上側に照明３４が配設され、また、下側に家具用コンセント３５が配設されている。
【００４８】
頭部側壁部３１の上端面３６には、３つの側壁３７を有する物置３８が設けられており、左右方向を向いた側壁３７の下面には、照明３９が取り付けられている。また、上端面３６には、家具用コンセント４０が取り付けられている。
【００４９】
足元側壁部３２は、図２，図３，図５に示すように、上段ベッド２０の幅とほぼ同じ幅で、かつ上段ベッド２０の幅方向の位置に合わせて配置されていて、高さについては、床面Ｆから天井Ｃに至るように形成されている。
【００５０】
上述の上段ベッド２０の寝具載置板２２の突出部分２２ａの下方の空間には、第１収納空間Ｋ１が構成されている。図５に示すように、第１収納空間Ｋ１は、向かって右側の頭部側壁部３１の一部と、向かって左側の足元側壁部３２の一部と、突出部分２２ａと、底板４４とに挟まれて構成されている。さらに、図示例の第１収納空間Ｋ１は、縦方向の２枚の仕切り板４１が配設されて、長さ方向に３つの空間に区画され、さらに、右側の空間は、３枚の横方向に仕切り板４２によって、上下４段の空間に区画されている。なお、第１収納空間Ｋ１は、図示例のものに限らず、利用者の要求に応じて、適宜な構成とすることができる。
【００５１】
図１，図３に示すように、図示例の間仕切り二段ベッド１では、上段ベッド２０の重量を支えるために、梁４３が、上段ベッド２０の長さ方向に沿って配設されている。梁４３は、上段ベッド２０の寝具載置板２２の奥側端部を全長にわたって可能から支持しており、その両端は、それぞれ頭部側壁部３１、足元側壁部３２によって支持されている。このため、梁４３の下端４３ａが上段間仕切り２１の下端に相当することになる。
【００５２】
上述した間仕切り二段ベッド１は、下段ベッド１０、上段ベッド２０、下段間仕切り１１、上段間仕切り２０、頭部側壁部３１、足元側壁部３２等がユニット化されていて、基本的には、設置する部屋Ｒの天井Ｃの高さに応じて、現場で上段間仕切り２１の高さを調整する以外は、工場等であらかじめ仕上げておくことができる。このため、現場では、組立作業が主になるため、短時間での設置が可能である。
【００５３】
以上では、間仕切り二段ベッド１に、頭部側壁部３１と足元側壁部３２の双方を設けた場合を例に説明したが、これらは必ずしも必要ではなく、例えば、下段ベッド１０、上段ベッド２０の頭部側を部屋Ｒの壁面に付けて構成する場合には、頭部側壁部３１を省略することができ、また、足元側を部屋Ｒの壁面に付けて構成する場合には、足元側壁部３２を省略することができる。
【００５４】
上述した本実施形態に係る間仕切り二段ベッド１によると、以下のような作用効果を奏することができる。
（１）１つの部屋Ｒで生活する２人の利用者が、間仕切り二段ベッド１を使用するため、部屋Ｒ全体として、スペースを有効に活用することができる。すなわち、１つの部屋Ｒを、例えば、一般的な間仕切りで第１スペースＲ１と第２スペースＲ２とに区画してそれぞれにベッドを置く場合と比較して、第１スペースＲ１、第２スペースＲ２のベッド以外のスペースを広くとることができる。
（２）部屋Ｒを区画するための、下段間仕切り１１、上段間仕切り２１を、下段ベッド１０、上段ベッド２０を利用して設置することができるので、下段間仕切り１１、上段間仕切り２１を設置するための構成を簡略化することができる。
（３）下段ベッド１０に対して上段ベッド２０が第２スペースＲ２側にずらして配置されているので、その分、上段間仕切り２１の下端（梁４３の下端４３ａ）が第２スペースＲ２側に位置することになり、下段ベッド１０の利用者が、上段間仕切り２１の下端に頭部等をぶつけにくく、また、上段間仕切り２０の下端が、下段ベッド１０のベッドメイキング等の邪魔になりにくい。
（４）上段ベッド２０の寝具載置板２２の突出部分２２ａの下方に、第１収納部Ｋ１を確保することができるので、第２スペースＲ２の利用者は、第１収納部Ｋ１を有効に利用することができる。
（５）頭部側壁部３１と足元側壁部３２とを設ける場合には、両者間に、上段ベッド２０の重量を支えるための梁４３を渡すことができるので、間仕切り二段ベッド１の独立性を高めて、ユニット化を促進することができる。
【００５５】
＜実施形態２＞
図６，７を参照して、本考案を適用した実施の形態２に係る間仕切り二段ベッド２について説明する。
【００５６】
ここで、図６は、間仕切り二段ベッド２を、上段ベッド２０側から見た模式図である。また、図７は、図６中のＺ−Ｚ線矢視図である。
【００５７】
本実施形態の間仕切り二段ベッド２は、上述の実施形態１の間仕切り二段ベッド１と同様に下段ベッド１０に対して上段ベッド２０を第２スペースＲ２側（幅方向）にずらし、これに加え、長さ方向に足元側（図６中の左側、図７中の下側）にずらしている。
【００５８】
下段ベッド１０に対して上段ベッド２０をずらした分だけ、間仕切り二段ベッド２としての全長（長さ方向の寸法）が延長されることになる。このとき、ずらした分に応じて、全長を変更することが可能である。すなわち、ずらす量を多くすれば全長を長くすることができ、ずらす量を少なくすれば全長を短くすることができる。
【００５９】
このため、例えば、下段ベッド１０に対して上段ベッド２０を長手方向にはずらしていない上述の実施形態１の間仕切り二段ベッド１を、頭部側壁部３１を室内Ｒの壁面にくっつけて配設したところ、足元側壁部３２と部屋Ｒの反対側の壁面との間に数十ｃｍの間隙が形成されてしまうような場合、本実施形態の間仕切り二段ベッド２を使用すれば、間隙に合わせて、上段ベッド２０をずらして配置することにより、間隙を埋めることが可能となる。この場合、上段ベッド２０をずらす量に対応させて、下段間仕切り１１、上段間仕切り２１等の長さを延長し、また、上段ベッド２０の頭部側には、延長部分２０Ａを設けるとよい。
【００６０】
さらに、図６，図７に示すように、下段ベッド１０の足元側には、足元側壁部３２のうちの第１スペースＲ１側に位置する部分と、下段間仕切り１１のうちの足元側に位置する部分等で囲まれた第２収納部Ｋ２が形成される。この第２収納部Ｋ２は、第１スペースＲ１の利用者が使用することができる。
【００６１】
また、上段ベッド２０の頭部側には、頭部側壁部３１との間に延長板２０Ａ等を設けることにより、この延長板２０Ａの上方に、上段ベッド２０の利用者が使用可能な第３収納部Ｋ３を形成することができる。
【００６２】
以上のように、本実施形態によれば、下段ベッド１０に対して上段ベッド２０を、幅方向ばかりでなく、長さ方向にもずらすことにより、上述の実施形態１の作用効果に加えて、さらに、間仕切り二段ベッド２の実質的な長さを長くすることができ、また、第２収納部Ｋ２や第３収納部Ｋ３を確保することができる、といった作用効果がある。
【００６３】
本実施形態の形態では、下段ベッド１０に対して、上段ベッド２０を足元側にずらす例を説明したが、これに代えて、下段ベッド１０に対して上端ベッド２０を頭部側にずらすようにしてもよい。
【００６４】
さらには、下段ベッド１０に対して上段ベッド２０を、幅方向にはずらすことなく、長さ方向（足元側又は頭部側）にのみずらすことも可能である。
【符号の説明】
【００６５】
１  実施形態１の間仕切り二段ベッド
２  実施形態２の間仕切り二段ベッド
１０  下段ベッド
１１  下段間仕切り
２０  上段ベッド
２１  上段間仕切り
２２  寝具載置板（底部）
２２ａ  突出部分
３１  頭部側壁部（一方側壁部）
３２  足元側壁部（他方側壁部）
Ｃ  天井
Ｆ  床面
Ｋ１  第１収納部
Ｋ２  第２収納部
Ｋ３  第３収納部
Ｒ  部屋
Ｒ１  第１スペース
Ｒ２  第２スペース
【図１】
0003198142.tif 000003
【図２】
0003198142.tif 000004
【図３】
0003198142.tif 000005
【図４】
0003198142.tif 000006
【図５】
0003198142.tif 000007
【図６】
0003198142.tif 000008
【図７】
0003198142.tif 000009